(57)【要約】      （修正有）【課題】簡単な構造で、腕を横や前に上げたり曲げたりする活発な動きをとるときの上腕部や肘部分の圧迫感や突っ張り感を的確に軽減して動作追随性を高めることができる上着を提供する。【解決手段】身頃１５の袖ぐり１６に袖１７が縫着されている上着において、袖１７は前袖１８と後袖１９とから成り、その前袖１８と後袖１９とが、上着の肩先から袖１７の脇側の反対側の外側を通って袖口に延びる縫合ラインＡと、上着の脇下から袖１７の脇側を通って袖口に延びる縫合ラインとで縫合する。かつ、袖ぐり１６に対する後袖１９の袖付け角度が、前袖１８の袖付け角度よりも大きな角度、すなわち前袖１８の袖付けの角度が０〜５°の範囲で、後袖１９の袖付け角度が２５°以上となっている。【選択図】図１
0003168666.tif 000002
【実用新案登録請求の範囲】
【請求項１】
身頃の袖ぐりに袖が縫着されている上着において、
前記袖は前袖と後袖とから成り、その前袖と後袖とが、上着の肩先から袖の脇側の反対側の外側を通って袖口に延びる縫合ラインと、上着の脇下から袖の脇側を通って袖口に延びる縫合ラインとで縫合され、かつ袖ぐりに対する前記後袖の袖付け角度が、前記前袖の袖付け角度よりも大きな角度となっていることを特徴とする上着。
【請求項２】
前記前袖の袖付けの角度が０〜５°の範囲で、前記後袖の袖付け角度が２５°以上であることを特徴とする請求項１に記載の上着。
【考案の詳細な説明】
【技術分野】
【０００１】
この考案は、上着、特に中学生や高校生が通学用として着用するブレザーや詰襟服などの上着に関する。
【背景技術】
【０００２】
通常一般のジャケットやスーツなどの上着は、図４（ａ），（ｂ）に示すように、二つの前身１、二つの背身２、二つの細腹３とで身頃４を縫製し、この身頃４に衿５及び袖６を縫着して成る。袖６は上袖７と下袖８を縫合して成り、身頃４の上部両側の袖ぐり９に縫着されている。なお、図４（ａ）は上着の正面図、図４（ｂ）は同じく背面図である。また、図５には、前身１、背身２、細腹３、衿５、上袖７、下袖８の各パーツのパターンを示してある。
【０００３】
身頃４の背身２は背中の中心を通るラインで縫合され、袖６の上袖７と下袖８は、袖６を脇側と外側との左右に分ける両ラインＡ，Ｂで縫合されている。そして、袖付けにおいては、着用静立時の外観品質を高めるために、袖６がほぼ真下に向って延びるように縫着されている。
【０００４】
ところで、人体の上半身の動作は、肩関節を中心とした動き（これにより肩甲骨も連動して動く）と、肘関節を中心とした動きが大半で、その動きのほとんどが人体の前方に向っての動きである。
【０００５】
上述のような通常一般の上着を着用し、肩関節、肘関節を中心とした動作を行なうときに、その動作が次のような理由で阻害される。
【０００６】
すなわち、肩関節を中心に腕を横に水平に上げたり、前方の水平や上方に上げたりしたときに、袖６が身頃４に対してほぼ真下の方向に延びるように縫着されているため、袖６が上腕部を圧迫し、突っ張り感が生じ、腕が上がりにくくなる。
【０００７】
また、肘関節を中心に脇を閉じ、あるいは開きながら腕を前方にくの字状に曲げたときに、袖６の上袖７と下袖８との一方の縫合ラインＢが肘関節の部分を通るように延びているため、肘の曲げ動作に応じてその縫合ラインＢが引っ張られ、上腕部に突っ張り感が生じ、肘関節を中心に腕を動かす動作が阻害される。
【０００８】
袖６が身頃４のほぼ真下に延びるように縫着されているときには、腕を下方に伸ばした着用静立時のシルエットが綺麗で、外観品質がよく、したがって紳士用のスーツなどにおいてはこのような仕様が採用される。
【０００９】
ところが、中学生や高校生が通学用として着用するブレザーや詰襟服などにおいては、腕を横や前に上げたり曲げたりする活発な動きをとることが多く、したがって特にこのような上着が上述のような仕様であると、動作追随性が悪く、活発な動きで上腕部や肘部分に圧迫感や突っ張り感が生じ、着心地が低下する。
【００１０】
そこで、特開平１１−２００１２６号公報に見られるように、上袖と下袖とから成る袖を身頃の袖ぐりに縫合するに当り、その袖の下袖をさらに前下袖と後下袖とに分割し、その前下袖と後下袖の袖底に張出し部をそれぞれ形成し、これら張出し部の側縁同士を前下袖と後下袖の側縁同士と共に縫合することにより、下袖の袖底に、袖の脇の下方に延びる立体的な舌片部を構成し、この舌片部を介して下袖を身頃の袖ぐりに縫合することで、動作追随性を高めるようにした上着が提案されている。
【先行技術文献】
【特許文献】
【００１１】
【特許文献１】特開平１１−２００１２６号公報
【考案の概要】
【考案が解決しようとする課題】
【００１２】
しかしながら、特開平１１−２００１２６号公報の上着においては、袖の下袖をさらに二つに分割し、かつその袖底にそれぞれ張出し部を形成するという複雑な構造となるため、縫製が面倒で、コストがかかる難点がある。
【００１３】
この考案は、このような課題に着目し、簡単な構造で、腕を横や前に上げたり曲げたりする活発な動きをとるときの上腕部や肘部分の圧迫感や突っ張り感を的確に軽減して動作追随性を高めることができる上着を提供することを目的としている。
【課題を解決するための手段】
【００１４】
このような課題を解決するために、この考案は、身頃の袖ぐりに袖が縫着されている上着において、前記袖は前袖と後袖とから成り、その前袖と後袖とが、上着の肩先から袖の脇側の反対側の外側を通って袖口に延びる縫合ラインと、上着の脇下から袖の脇側を通って袖口に延びる縫合ラインとで縫合され、かつ袖ぐりに対する前記後袖の袖付け角度が、前記前袖の袖付け角度よりも大きな角度となっていることを特徴としている。例えば、前記前袖の袖付けの角度が０〜５°の範囲で、前記後袖の袖付け角度が２５°以上となっている。
【考案の効果】
【００１５】
以上説明したように、この考案によれば、簡単な構造で、腕を横や前に上げたり曲げたりする活発な動きをとるときの上腕部や肘部分の圧迫感や突っ張り感を的確に軽減して動作追随性を高め、かつシルエットの低下を抑えることが可能な上着を提供することができる。
【図面の簡単な説明】
【００１６】
【図１】この考案の一実施形態に係る上着の斜視図。
【図２】（ａ）はその上着の正面図、（ｂ）は同じく背面図。
【図３】その上着の各パーツのパターンを示す平面図。
【図４】（ａ）は従来の上着の正面図、（ｂ）は同じく背面図。
【図５】その従来の上着の各パーツのパターンを示す平面図。
【考案を実施するための形態】
【００１７】
以下、この考案の一実施形態について図１〜図３を参照して説明する。
【００１８】
図１及び図２には、この考案の一実施形態に係る上着としての学生用ブレザーを示してある。図１は、ブレザーを背面側から見た斜視図で、図２（ａ）はブレザーの正面図、図２（ｂ）はブレザーの背面図である。
【００１９】
このブレザーは、二つの前身１０、二つの背身１１、二つの細腹１２の各パーツを縫製して成る身頃１５を有し、この身頃１５の衿部に衿１３が逢着され、身頃１５の両側上部の袖ぐり１６に袖１７が縫着されている。袖１７は、前袖１８と後袖１９とを縫合して成る。図３には、身頃１５の各パーツである前身１０、背身１１、細腹１２、衿１３の各パターン、及び袖１７の各パーツである前袖１８、後袖１９の各パターンを示してある。
【００２０】
袖１７を構成する前袖１８と後袖１９は、ブレザーの肩先から袖１７の脇側の反対側である外側を通って袖口に延びる縫合ラインＡと、脇下から袖１７の脇側（内側）を通って袖口に延びる縫合ラインＢとで縫合され、この縫合形態により前袖１８が着用者の腕の前側に、後袖１９が腕の後側に配置して、いずれの縫合ラインＡ，Ｂも着用者の腕の肘関節部分を通らない状態にある。
【００２１】
つまり、従来の上着においては、袖が上袖と下袖とで構成され、その上袖と下袖とが袖を左右に分けるラインで縫合され、その後側の縫合ラインが着用者の腕の肘関節部分を通る状態にあるが、この考案においては、袖１７が前袖１８と後袖１９とからなり、その前袖１８と後袖１９とが袖１７の外側と脇側を通る縫合ラインＡ，Ｂで縫合されて、着用者の腕の肘関節部分を通らない状態にある。
【００２２】
さらにこの考案においては、身頃１５の袖ぐり１６に対する袖付けの角度が、前袖１８においては小さく、後袖１９においては大きくなっている。すなわち、前袖１８においては、従来一般の上着の場合と同様に、身頃１５の垂直中心線に対する角度が０〜５°の袖付け角度で袖ぐり１６に縫着されているが、後袖１９においては、その前袖１８の角度より大きい２５°以上の袖付け角度で袖ぐり１６に縫着されている。
【００２３】
袖付け角度は、前袖１８、後袖１９の縫着縁１８ａ，１９ａの全体の傾きの角度を調整することで可能である。つまり、前袖１８，後袖１９の長手方向に対する縫着縁１８ａ，１９ａの角度θ１，θ２を大きくすればその分、袖付け角度が大きくなる。したがって、この考案においては、前袖１８における縫着縁１８ａの角度θ１を小さく、後袖１９における縫着縁１９ａの角度θ２を大きくする（θ１＞θ２）ことで、前袖１８の袖付け角度を０〜５°、後袖１９の袖付け角度を２５°以上としてある。
【００２４】
このような仕様によるこの考案のブレザーにおいては、袖１７の後袖１９の袖付け角度が２５°以上という大きな角度となっており、このため中学生や高校生の着用者が肩関節を中心に腕を横や前方に上げ下げするときに、その動きに袖１７の袖付け部分が余裕をもって追随し、袖１７で上腕部が圧迫されたり、突っ張り感が生じたりするようなことがなく、腕をスムーズに動かすことができ、快適な着用感が得られる。
【００２５】
また、袖１７が前袖１８と後袖１９とから成り、その前袖１８と後袖１９とが腕の肘関節部分を通らない縫合ラインＡ，Ｂで縫合されているため、着用者が肘関節を中心に腕をくの字状に屈伸するときに、肘でその縫合ラインＡ，Ｂが引っ張られるというようなことがなく、したがって突っ張り感が生じず、肘関節を中心に腕をスムーズに動かすことができ、快適な着用感が得られる。
【００２６】
ところで、袖１７の袖付け角度が大きいと、腕を下方に伸ばした着用静立時に袖付け部分にだぶつきが生じ、外観的なシルエットが低下するが、この考案においては、後袖１９に対してのみ袖付け角度を大きくし、前袖１８に対しては小さな袖付け角度としてあり、このため着用静立時のシルエットの低下を抑え、特にブレザーを正面から見たときのシルエットを良好に保つことができる。
【００２７】
すなわち、この考案のブレザーによれば、中学生や高校生などの活発な動きに対する動作追随性を高めつつ、着用静立時のシルエットの低下を抑え、上着としての一定の外観品質を保持することができる。
【００２８】
また、この考案のブレザーは、袖１７を構成する前袖１８と後袖１９との縫合ラインの位置を変え、前袖１８と後袖１９との袖付け角度を所定の角度に規定するだけでよく、したがって構造が複雑となることがなく、コストを抑えて動作追随性の向上と着用静立時のシルエットの保持とを両立させることができる。
【００２９】
なお、この考案は、学生用のブレザーに限らず、学生用の詰襟服や通常一般のジャケットやスーツなどの上着に適用することも可能である。
【符号の説明】
【００３０】
１０…前身
１１…背身
１２…細腹
１３…衿
１５…身頃
１７…袖
１８…前袖
１９…後袖
Ａ．Ｂ…縫合ライン
【図１】
0003168666.tif 000003
【図２】
0003168666.tif 000004
【図３】
0003168666.tif 000005
【図４】
0003168666.tif 000006
【図５】
0003168666.tif 000007